(57)【要約】【課題】操作性に優れ、カウントミスを有効に防止できるように改良されたガーゼカウントホルダを提供する。【解決手段】プレート１０の切欠き１１にガーゼ５を通し、当該プレート１０を、フレーム２０にスライド係合させる。フレーム２０の切欠き２１は、プレート１０の切欠き１１よりも開口面積が小さいので、プレート１０をフレーム２０に係合させたとき、両切欠き１１、１２のオーバーラップ開口は小さくなり、ここにガーゼ５が挟持される。つまり、プレート１０単体に対しては、主開口部１２の開口面積が比較的大きいので、ガーゼ５を最初にプレート１０に設置する作業が簡単となる。そして、このプレート１０をフレーム２０にスライド係合させると、オーバーラップ開口面積が小さくなり、その結果、各ガーゼが適正に保持・固定される。【選択図】図１
2012029984.tif 000002
【特許請求の範囲】
【請求項１】
保持するガーゼ（５）の枚数に等しい数のプレート側切欠き（１１）を備えるプレート（１０）と、
プレート（１０）をスライド係合させて保持するとともに、プレート側切欠き（１１）に等しい数のフレーム側切欠き（２１）を備えるフレーム（２０）と、を備えるガーゼカウントホルダであって、
（ア）プレート側切欠き（１１）は、ガーゼ（５）を通す主開口部（１２）と、主開口部（１２）よりも幅狭で主開口部（１２）からプレート縁部に至り外方から主開口部（１２）へのアクセスを許容するネック部（１３）と、を含み、
（イ）フレーム側切欠き（２１）は、ガーゼ（５）を通す主開口部（２２）と、少なくともプレート側切欠きのネック部（１３）よりも幅広で、主開口部（２２）からフレーム縁部に至り外方から主開口部（２２）へのアクセスを許容するネック部（２３）と、を含んでいて、フレーム側切欠きの主開口部（２２）は、プレート側切欠きの主開口部（１２）よりも開口面積が小さく、
（ウ）プレート側切欠き（１１）にガーゼを通した状態のプレート（１０）を、フレームにスライド係合させたときに、プレート側切欠き（１１）とフレーム側切欠き（２１）とが整合して、両切欠き（１１、２１）で構成されるオーバーラップ開口にガーゼ（５）が保持される、ガーゼカウントホルダ。
【請求項２】
上記オーバーラップ開口の開口面積が、実質上、ガーゼ１枚だけを保持できる拡がりを有する、請求項１記載のガーゼカウントホルダ。
【請求項３】
上記フレーム側切欠き（２１）の主開口部（２２）は円形で、その直径がほぼ６ｍｍである、請求項２記載のガーゼカウントホルダ。
【請求項４】
保持するガーゼ（５）の枚数に等しい数のプレート側切欠き（５１）を備えるプレート（５０）と、
プレート側切欠き（５１）に等しい数のスリーブ側切欠き（６１）を備えるとともに、プレート（５０）をガーゼ受入位置とガーゼ係止位置との間でスライド可能に保持するスリーブ（６０）と、を備えるガーゼカウントホルダであって、
（ア）プレート側切欠き（５１）は、ガーゼ（５）を通す主開口部（５２）と、主開口部（５２）よりも幅狭で主開口部（５２）からプレート縁部に至り外方から主開口部（５２）へのアクセスを許容するネック部（５３）と、を含み、
（イ）スリーブ側切欠き（６１）は、実質的にプレート側切欠き（５１）の主開口部（５２）およびネック部（５３）と等しい投影開口領域を有する主開口部（６２）およびネック部（６３）を含んでいて、
（ウ）プレートがガーゼ受入位置にあるとき、プレート側切欠き（５１）とスリーブ側切欠き（６１）とが重なって、ガーゼを受け入れることができ、
プレートをガーゼ係止位置にスライドさせると、プレート側切欠き（５１）とスリーブ側切欠き（６１）の位置がズレてガーゼが挟持される、ガーゼカウントホルダ。
【請求項５】
上記プレート（５０）がガーゼ係止位置にあるとき、プレート側切欠き（５１）とスリーブ側切欠き（６１）のオーバーラップ開口面積が、実質上、ガーゼ１枚だけを保持できる拡がりを有する、請求項４記載のガーゼカウントホルダ。
【請求項６】
上記プレート（５０）がガーゼ受入位置またはガーゼ係止位置にきたときに、そのことを節度感をもって知らせるクリック手段（５９、６９ａ、６９ｂ）を備える、請求項４または５記載のガーゼカウントホルダ。
【請求項７】
上記プレート（５０）が細長い板状体であって、その長さ方向に沿う両側縁に補強リブ（５０ａ）を備える、請求項４〜６のいずれか１つに記載のガーゼカウントホルダ。
【発明の詳細な説明】
【技術分野】
【０００１】
本発明は、複数枚のガーゼについて、その数を明確に把握した上で保持することのできるガーゼカウントホルダに関する。
【背景技術】
【０００２】
ガーゼカウントホルダは、代表的には、手術に際して使用される。手術においては、止血等のために複数枚のガーゼが使用されるが、手術で開けた体内に誤ってガーゼを残したまま傷口を縫合してしまうという医療ミスがしばしば報告されている。
このような医療ミスは、手術前に用意したガーゼの数を明確に把握しておき、傷口を縫合する前に、同数のガーゼが（体外に）存在することを確認することで、確実に防ぐことができる。
【０００３】
このような目的で使用されるガーゼ計数手段は、特許文献１、２等に提案されている。
【先行技術文献】
【特許文献】
【０００４】
【特許文献１】特許第３４４７６５５号
【特許文献２】特開２００７-３３０４４５号公報
【発明の概要】
【発明が解決しようとする課題】
【０００５】
本発明の目的は、上述のような手術に際して使用するのに好適なガーゼカウントホルダであって、操作性に優れ、カウントミスを有効に防止できるよう改良されたものを提供することである。
【課題を解決するための手段および発明の効果】
【０００６】
本発明は、上記課題を有効に解決するために創案されたものであって、相対移動する２部材でガーゼカウントホルダを構成し、当該ホルダに対するガーゼのセットが容易な第１状態と、ガーゼが確実に保持される第２状態とを選択的にとり得るようにした点に特徴がある。
【０００７】
本発明の第１の局面によれば、ガーゼカウントホルダは、「保持するガーゼの枚数に等しい数のプレート側切欠きを備えるプレート」と「プレートをスライド係合させて保持するとともに、プレート側切欠きに等しい数のフレーム側切欠きを備えるフレーム」とを備える。そして、
（ア）プレート側切欠きは、ガーゼを通す主開口部と、主開口部よりも幅狭で主開口部からプレート縁部に至り外方から主開口部へのアクセスを許容するネック部と、を含む。
（イ）フレーム側切欠きは、ガーゼを通す主開口部と、少なくともプレート側切欠きのネック部よりも幅広で、主開口部からフレーム縁部に至り外方から主開口部へのアクセスを許容するネック部と、を含んでいて、フレーム側切欠きの主開口部は、プレート側切欠きの主開口部よりも開口面積が小さい。
（ウ）プレート側切欠きにガーゼを通した状態のプレートを、フレームにスライド係合させたときに、プレート側切欠きとフレーム側切欠きとが整合して、両切欠きで構成されるオーバーラップ開口にガーゼが保持される。
【０００８】
上記構成を有するガーゼカウントホルダにおいては、プレート側切欠きの主開口部は、フレーム側切欠きの主開口部よりも開口面積が大きいので、プレート単体に対してガーゼを容易にセットすることができる。
一方、フレーム側切欠きの主開口部は、プレート側切欠きの主開口部よりも開口面積が小さいので、プレートをフレームにスライド係合させた場合に、両切欠きが整合して複合的に得られるオーバーラップ開口は、プレート側切欠きの主開口部よりも開口面積が小さくなる。このオーバーラップ開口に、ガーゼが確実に保持されることとなる。
つまり、プレート単体に対して簡単にガーゼをセットし、その後、プレートをフレームに係合させることで、ガーゼが確実に保持される。したがって、操作が容易で確実にガーゼを保持できる。
【０００９】
特に、オーバーラップ開口の開口面積が、実質上、ガーゼ１枚だけを保持できる拡がりを有するよう構成した場合には、ガーゼ総数のカウント結果に対する信頼性がさらに高くなる。
【００１０】
本発明の第２の局面によれば、ガーゼカウントホルダは、「保持するガーゼの枚数に等しい数のプレート側切欠きを備えるプレート」と「プレート側切欠きに等しい数のスリーブ側切欠きを備えるとともに、プレートをガーゼ受入位置とガーゼ係止位置との間でスライド可能に保持するスリーブ」とを備える。そして、
（ア）プレート側切欠きは、ガーゼを通す主開口部と、主開口部よりも幅狭で主開口部からプレート縁部に至り外方から主開口部へのアクセスを許容するネック部とを含む。
（イ）スリーブ側切欠きは、実質的にプレート側切欠きの主開口部およびネック部と等しい投影開口領域を有する主開口部およびネック部を含む。
（ウ）プレートがガーゼ受入位置にあるとき、プレート側切欠きとスリーブ側切欠きとが重なって、ガーゼを受け入れることができ、
プレートをガーゼ係止位置にスライドさせると、プレート側切欠きとスリーブ側切欠きの位置がズレてガーゼが挟持される。
【００１１】
上記構成を有するガーゼカウントホルダにおいては、スリーブに対してプレートがガーゼ受入位置にあるときは、プレート側切欠きとスリーブ側切欠きが重なって構成される切欠きの開口面積が最大となるので、そこにガーゼを容易にセットすることができる。
次に、スリーブに対してプレートを相対的にガーゼ係止位置にまでスライドさせると、両切欠きがズレることで、ガーゼを確実に保持（挟持）することができる。
つまり、ガーゼ受入位置にて簡単にガーゼをセットし、ガーゼ係止位置にてガーゼが確実に保持される。したがって、操作が容易で確実にガーゼを保持できる。
【００１２】
特に、プレートがガーゼ係止位置にあるとき、プレート側切欠きとスリーブ側切欠きのオーバーラップ開口面積が、実質上、ガーゼ１枚だけを保持できる拡がりを有するよう構成した場合には、ガーゼ総数のカウント結果に対する信頼性がさらに高くなる。
【図面の簡単な説明】
【００１３】
【図１】本発明の第１実施形態に係るガーゼカウントホルダの使用方法を説明する概略図。
【図２】図１のガーゼカウントホルダを構成するプレートおよびフレームを説明する図。
【図３】プレートおよびフレームの寸法関係を説明する図。
【図４】各切欠きにガーゼ１枚のみが確実に保持される特徴を説明する図。
【図５】本発明の第２実施形態に係るガーゼカウントホルダの使用方法を説明する概略図。
【図６】図５のガーゼカウントホルダを構成するプレートおよびスリーブを説明する図。
【発明を実施するための形態】
【００１４】
本発明の実施形態を添付の図面を参照して以下に詳細に説明する。
【００１５】
≪第１実施形態≫
図１は、第１実施形態に係るガーゼカウントホルダの使用方法を示す概略図である。詳細は後述するが、大雑把に言うと、まず、プレート１０にガーゼ５を保持し、次にこれをフレーム２０にスライド係合させる。
プレート１０に形成されたガーゼを保持する切欠き１１（プレート側切欠き）は、やや大きめに寸法が設定されているので、プレート１０にガーゼ５をセットする作業は容易である。フレーム２０に設けられる切欠き１２（フレーム側切欠き）は、プレート側切欠き１１よりも小さく寸法設定されているので、プレート１０をフレーム２０にスライド係合させることで、ガーゼ５を保持する切欠きの寸法が絞られて、ガーゼ５がしっかりと保持されることとなる。
絞られた後の最終的な切欠きの径は、１枚のガーゼ５を図１に示したように適度に絞ったときの径とほぼ等しくなるように設定することが好ましく、例えば６ｍｍである。この具体的な寸法は、使用するガーゼによって異なり、適宜の値を採用することができる。
以下に各部の構造を詳細に説明する。
【００１６】
［プレート１０］
図２は、プレート１０およびフレーム２０を個別に示している。矢印は、フレーム２０に対してプレート１０をスライド係合させる方向を示している。
プレート１０は、細長い板状体であって、長さ方向に並ぶ５つのプレート側切欠き１１を備える。各切欠き１１は、主開口部１２とネック部１３とで構成されている。
主開口部１２にはガーゼ５が通される（図１参照）。ネック部１３は、主開口部１２よりも幅狭で、主開口部１２からプレート縁部にまで至る。外方から、ネック部１３を通して、主開口部１２へのアクセスが可能となる。
【００１７】
［フレーム２０］
フレーム２０は、プレート１０をスライド係合させて保持するものであり、このため、フレーム２０の３辺に渡って延在する係止フランジ２０ａが設けられている。
フレーム２０は、プレート１０と同様、細長い板状体であって、長さ方向に並ぶ５つのフレーム側切欠き２１を備える。各切欠き２１は、主開口部２２とネック部２３とで構成されている。
主開口部２２には、最終的にはガーゼ５が通されることとなる（図１参照）。ネック部２３は、図示した例では主開口部２２よりも幅狭で、主開口部２２からフレーム縁部にまで至る。外方から、ネック部２３を通して、主開口部２２へのアクセスが可能となる。
【００１８】
詳しくは後述するが、フレーム側切欠き２１の主開口部２２は、プレート側切欠き１１の主開口部１２よりも開口面積が小さく設定されている。また、フレーム側切欠き２１のネック部２３（の最狭部）は、少なくとも、プレート側切欠き１１のネック部１３（の最狭部）よりも幅広に構成される。
【００１９】
［各要素の寸法関係］
図３は、プレート１０をフレーム２０にスライド係合させた場合における各部の寸法関係を示している。なお、図３中の拡大表示部では、図示を明瞭にするため、フレーム２０を破線で示している。
図から分かるように、フレーム２０側の主開口部２２の直径Ｂは、プレート１０側の主開口部１２の直径Ａよりも小さい。すなわち、開口面積は、主開口部１２よりも主開口部２２の方が小さい。
【００２０】
これには次の意味がある。図４を参照して説明する。最初にガーゼ５をプレート１０に保持するときは、プレート側切欠き１１の主開口部１２は比較的広いので、ガーゼ５の設置をスムーズに行うことができる。このとき、ガーゼ５は、比較的ルーズな状態で主開口部１２に通されることとなる（対象となるガーゼのサイズとの関係で、そうなるように寸法設定する）。
この後、プレート１０をフレーム２０にスライド係合させると、プレート側切欠き１１とフレーム側切欠き２１とが整合する（両切欠きの寸法は異なるが、両者が中心を合わせた状態で並ぶ）。ここで、フレーム側切欠き２１の主開口部２２は（主開口部１２と比較して）狭く設定されているので、プレート側切欠き１１とフレーム側切欠き２１によって複合的に構成されるオーバーラップ開口の面積は、プレート側の主開口部１２自体の開口面積よりも小さくなる。すなわち、ガーゼ５が絞られるような態様で保持されることとなる。
その結果、ガーゼ５は、比較的タイトな状態で保持されて、不用意に抜け落ちることが防止される（対象となるガーゼのサイズとの関係で、そうなるように寸法設定する）。
【００２１】
また、フレーム側切欠き２１のネック部２３は、少なくともプレート側切欠き１１のネック部１３よりも幅広である。これにより、ガーゼ５を保持したプレート１０をフレーム２０にスライド係合させるときに、ガーゼ５がネック部２３を抵抗なく通り抜けることが可能となる。
【００２２】
以上の構成を有するプレート１０およびフレーム２０で構成される本発明のガーゼカウントホルダによれば、プレート１０側の切欠き１１は、主開口部１２の開口面積が比較的大きいので、ガーゼ５を最初にプレート１０に設置する作業が簡単となる。そして、このプレート１０をフレーム２０にスライド係合させたときに、フレーム２０側の切欠き２１の主開口部２２によって、全体としての挿通孔が絞られ（オーバーラップ開口面積が小さくなり）、その結果、各ガーゼが適正に保持・固定される。
【００２３】
なお、プレート側切欠き１１のネック部１３の幅寸法Ｌは、プレート１０をフレーム２０にスライド係合させてガーゼを絞るときに、ガーゼを有効に圧縮するとともに、ネック部１３を通ってガーゼが上方に逃げることを防止できるよう、適度に寸法設定することが好ましい。
また、フレーム側切欠き２１のネック部２３の幅寸法Ｍは、少なくともネック部２３よりも大きければよい。したがって、切欠き２１において、ネック部２３の幅Ｍが主開口部２２の直径Ｂと同程度となって、実質的にネックと呼べる部分が存在しないことになってもよい。
寸法Ｍをこのように設定することで、プレート１０をフレーム２０にスライド係合させる場合に、ガーゼがフレーム２０側のネック部２３をスムーズに通過できる。
【００２４】
［各切欠きに対して、ガーゼ１枚のみが確実に保持されるための構成］
ガーゼカウントホルダにおいては、ガーゼの枚数を正確に把握できることが重要であるため、１つの切欠きに対してガーゼが１枚だけ保持されることが確実となる構成が好ましい。
この目的を達成するための本発明の特徴を、図４を参照して説明する。
【００２５】
プレート側切欠き１１とフレーム側切欠き２１とはサイズが異なるので、両者が整合した場合（中心を合わせて重なった場合）、両者がオーバーラップすることで形成される複合的な開口（オーバーラップ開口）の面積は、プレート側切欠き１１自身の面積よりも小さくなり、この絞られたオーバーラップ開口に、ガーゼは最終的に保持される。
このオーバーラップ開口の面積を、実質上、ガーゼ１枚だけを保持できる拡がりを有するよう設定する。ガーゼは柔軟な布材であるが、１枚のガーゼを丸める、あるいは折り畳む等して中間部分を適度な圧力をもって保持するとき、当該保持される部分の断面積が想定される。本発明においてこの断面積に要求される性質は、ガーゼの不要な抜け落ちが防止されるとともに、当該面積内に２枚のガーゼを保持することが、自然な力作業では明らかに困難となることである。
オーバーラップ開口の面積をそのように設定しておくことで（換言すると、ガーゼ１枚だけを保持できる拡がりとしておくことで）、もし誤って最初にプレート１０の１つの切欠き１１内に２枚のガーゼを入れてしまった場合であっても、当該プレート１０をフレーム２０にスライド係合させる際に、そのスライド操作がスムーズに行えないこととなるので、その時点で枚数の誤りに気付くことができ、余分な１枚を除去できる。
なお、このオーバーラップ開口面積の具体的な値は、対象となるガーゼの大きさによって当然に異なるので、予め対象となるガーゼの大きさを決めた上で、ガーゼカウントホルダは製造されることとなる。
【００２６】
［その他］
第１実施形態において、プレート１０およびフレーム２０に設ける各切欠き１１、２１の具体的な形状は、図示したものに限られず、例えば、主開口部１２、２２は円形でなくても、楕円形、矩形、その他適宜の形状を採用することが可能である。
また、図示した例では、ガーゼを保持する切欠きの総数は５で、各切欠きの近傍には、カウントを容易にするためのナンバリングを付している。しかし、切欠きの総数は必要に応じて適宜設定することが可能であり、ナンバリングの有無および具体的態様についても適宜変更が可能である。
【００２７】
≪第２実施形態≫
図５は、第２実施形態に係るガーゼカウントホルダの使用方法を示す概略図である。このガーゼカウントホルダは、プレート５０と、これをスライド可能に保持するスリーブ６０とで構成される。スリーブ６０は、図示した例では、細長く平たい筒状部材である。
詳細は後述するが、大雑把に言うと、まずプレート５０をスリーブ６０に差し込んで、両者を相対スライド可能に組み合わせる。プレート５０は、スリーブ６０に対して、ガーゼ受入位置とガーゼ係止位置の間でスライド移動可能となる。
ガーゼ受入位置において、切欠きにガーゼ５をセットし、次に、プレート５０をガーゼ係止位置にまでスライドさせる。これにより、プレート側切欠き５１とスリーブ側切欠き６１の位置がズレて、ガーゼ５が挟持される。
以下に各部の構造を詳細に説明する。
【００２８】
［プレート５０］
図６は、プレート５０およびスリーブ６０を個別に示している。矢印は、スリーブ６０に対してプレート５０を差し込む方向を示している。
プレート１０は、細長い板状体であって、長さ方向に並ぶ５つのプレート側切欠き５１を備える。各切欠き５１は、主開口部５２とネック部５３とで構成されている。ネック部５３は、主開口部５２よりも幅狭で、主開口部５２からプレート縁部にまで至る。外方から、ネック部５３を通して、主開口部５２へのアクセスが可能となる。
【００２９】
［スリーブ６０］
スリーブ６０は、プレート１０をスライド可能に保持するものであり、図６に示したように、プレート５０は、ガーゼ受入位置とガーゼ係止位置との間でスライド可能である。スリーブ６０は、プレート５０と同様に、長さ方向に並ぶ５つのスリーブ側切欠き６１を備える。
スリーブ６０の各切欠き６１は、主開口部６２とネック部６３とで構成されている。主開口部６２およびネック部６３は、それぞれ、実質的にプレート側切欠き５１の主開口部５２およびネック部５３と等しい投影開口領域を有する。すなわち、プレート５０がガーゼ受入位置にあるとき切欠き５１と切欠き６１は丁度重なるが、そのときオーバーラップする開口形状は、切欠き５１自身あるいは切欠き６１自身が有する開口形状と等しい。
【００３０】
［操作方法］
プレート５０がガーゼ受入位置にあるとき、プレート側切欠き５１とスリーブ側切欠き６１とが重なり、このとき、ネック部を介してガーゼをセットする。ガーゼ受入位置においては、切欠き５１と切欠き６１がオーバーラップして複合的に形成されるオーバーラップ開口の開口面積が最大となっているので、ガーゼのセットは容易である。
そこから、プレート５０を押し込んで、ガーゼ係止位置までスライドさせる。これにより、プレート側切欠き５１とスリーブ側切欠き６１の位置がズレて、ガーゼ５が挟持される。
【００３１】
［位置固定手段およびクリック手段］
プレート５０は、スライド操作のための摘み部５８近傍に突起５９を備える。一方、スリーブ６０は、細長い本体の一端近傍に２つの開口６９ａ、６９ｂを備える。これらは、協働して位置固定手段として機能する。
すなわち、プレート５０がガーゼ受入位置にあるとき、突起５９は開口６９ａと係合して、その結果、プレート５０は、ガーゼ受入位置に固定される。一方、プレート５０がガーゼ係止位置にあるとき、突起５９は開口６９ｂと係合して、その結果、プレート５０は、ガーゼ係止位置に固定される。ただし、スリーブ６０は適度な弾性を有する材料で構成されており、これらの固定を適度な外力をもって容易に解除できる。
【００３２】
図５および図６に示したように、ガーゼ受入位置では、突起５９が図中右側の開口６９ａを通して外部から観察でき、ガーゼ係止位置では、突起５９が図中左側の開口６９ｂを通して外部から観察できる。
【００３３】
また、この位置固定手段は、クリック手段としての機能を兼ね備えている。すなわち、プレート５０がガーゼ受入位置あるいはガーゼ係止位置に達した時に、突起５９と開口６９ａまたは６９ｂが係合することで、カチッカチッという節度感を伴う適度なクリックが与えられる。これによって、使用者は、直観的にそのことを認識できる。
【００３４】
図示した実施形態では、プレート５０側の突起５９とスリーブ６０側の開口６９ａ、６９ｂは、協働して位置固定手段を構成するとともに、クリック手段を兼ねている。このような相対移動する２つの部材の位置を一時的に固定する位置固定手段、あるいは、相対移動する２つの部材が特定の相対位置になったことを知らせるクリック手段の構成としては、図示したものに限らず、一般に知られている適当なものを採用できる。
図示した例では、１つの手段が位置固定手段とクリック手段を兼ねているが、両者を別々に設けてもよい。
【００３５】
［各切欠きに対して、ガーゼ１枚のみが確実に保持されるための構成］
図示した実施形態では、ガーゼカウントホルダの１つの切欠きにガーゼ１枚のみが保持されるのを確実とする工夫を施している。すなわち、プレート５０がガーゼ係止位置にあるときに、プレート側切欠き５１とスリーブ側切欠き６１がオーバーラップして複合的に形成されるオーバーラップ開口の開口面積を、特定の値としている。
【００３６】
具体的に説明すると、次の通りである。ガーゼは柔軟な布材であるが、１枚のガーゼを丸める、あるいは折り畳む等して中間部分を適度な圧力をもって保持するとき、当該保持される部分の断面積が想定される。本発明においてこの断面積に要求される性質は、ガーゼの不用意な抜け落ちが防止されるとともに、当該面積内に２枚のガーゼを保持することが、自然な力作業では明らかに困難となることである。
プレート５０がガーゼ係止位置にあるときのオーバーラップ開口の開口面積を、そのように設定しておくことで（換言すると、ガーゼ１枚だけを保持できる拡がりとしておくことで）、もし誤って最初に１つの切欠き内に２枚のガーゼを入れてしまった場合であっても、プレート１０をガーゼ係止位置へとスライドさせる際に、そのスライド操作がスムーズに行えないこととなるので、その時点で枚数の誤りに気付くことができ、余分な１枚を除去できる。
【００３７】
［補強手段］
図６中の側面図に示したように、プレート５０は両縁に補強リブ５０ａを有する断面Ｉ字の形状を為している。このような補強を行うことで細長いプレート５０の捻れを防止して、スリーブ６０内でのスライドを円滑にすることができる。
またこれに伴い、スリーブ６０も断面Ｉ字の内腔を備え、結果として、スリーブ６０自身の補強および捻れ防止を実現でき、プレート５０の円滑なスライド動作に寄与する。
補強リブ５０ａの具体的な形状は、図示したものに限られず、プレート自体の形状に応じ、適宜好ましい形状を採用すればよい。
【００３８】
［その他］
第２実施形態において、プレート５０およびフレーム６０に設ける各切欠き５１、６１の具体的な形状は、図示したものに限られず、例えば、主開口部５２、６２は円形でなくても、楕円形、矩形、その他適宜の形状を採用することが可能である。
また、図示した例では、ガーゼを保持する切欠きの総数は５で、各切欠きの近傍には、カウントを容易にするためのナンバリングを付している。しかし、切欠きの総数は必要に応じて適宜設定することが可能であり、ナンバリングの有無および具体的態様についても適宜変更が可能である。
【符号の説明】
【００３９】
５  ガーゼ
１０  プレート
１１  プレート側切欠き
１２  主開口部
１３  ネック部
２０  フレーム
２０ａ  係止フランジ
２１  フレーム側切欠き
２２  主開口部
２３  ネック部
５０  プレート
５０ａ  補強リブ
５１  プレート側切欠き
５２  主開口部
５３  ネック部
５９  突起
６０  スリーブ
６１  スリーブ側切欠き
６２  主開口部
６３  ネック部
６９ａ、６９ｂ  開口
【図１】
2012029984.tif 000003
【図２】
2012029984.tif 000004
【図３】
2012029984.tif 000005
【図４】
2012029984.tif 000006
【図５】
2012029984.tif 000007
【図６】
2012029984.tif 000008